(57)【要約】【課題】新たな部品を追加することなく、トロイダル型垂直偏向コイルの巻線の位置ずれを防止する。【解決手段】フェライトコア６３は、垂直方向軸Ｙが交差する位置に、垂直偏向コイル６２の巻線が実質的に配置されていない巻線不在領域６５を有する。フェライトコアの小径側端面６３Ｓ及び大径側端面６３Ｌの少なくとも一方の巻線不在領域に対応する領域内に管軸Ｚ方向に突出した凸部６３１，６３２が設けられている。巻線不在領域を通過する垂直偏向コイルの巻線６６が凸部に当接している。【選択図】図２
2009032562.tif 000002
【特許請求の範囲】
【請求項１】
内面に略矩形状の蛍光体スクリーンが形成されたパネルと、前記パネルに接合されたファンネルと、前記ファンネルのネック部内に収納され、電子ビームを放出する電子銃と、前記蛍光体スクリーンに対向し、前記電子ビームが通過する多数の開口が形成されたシャドウマスクと、前記ファンネルの外周面上に搭載された偏向ヨークと、前記ファンネルのネック部の外周面上に搭載され、前記蛍光体スクリーンの中央での色純度と色ずれを調整するＣＰＵとを備えた陰極線管装置であって、
前記偏向ヨークは、略漏斗形状を有するフェライトコアと、前記電子ビームを水平方向に偏向するサドル型の水平偏向コイルと、前記電子ビームを垂直方向に偏向する、前記フェライトコアに巻装されたトロイダル型の垂直偏向コイルと、管軸方向には前記フェライトコアの小径側端近傍であって前記フェライトコアに対して前記ファンネル側に上下に配された一対の磁性体とを備え、
前記フェライトコアは、垂直方向軸が交差する位置に、前記垂直偏向コイルの巻線が実質的に配置されていない巻線不在領域を有し、前記フェライトコアの小径側端面及び大径側端面の少なくとも一方の前記巻線不在領域に対応する領域内に管軸方向に突出した凸部が設けられており、前記巻線不在領域を通過する前記垂直偏向コイルの巻線が前記凸部に当接していることを特徴とする陰極線管装置。
【請求項２】
前記凸部の管軸方向の高さは、前記凸部が形成された前記小径側端面又は前記大径側端面での前記垂直偏向コイルの前記凸部の近傍部分の厚み以上である請求項１に記載の陰極線管装置。
【請求項３】
前記巻線不在領域を通過する前記巻線が当接する前記凸部の部分の管軸を中心とする半径方向の寸法は、前記凸部が形成された前記小径側端面又は前記大径側端面の前記半径方向の厚みよりも小さい請求項１に記載の陰極線管装置。
【請求項４】
前記凸部の管軸を中心とする半径方向の寸法は、前記凸部が形成された前記小径側端面又は前記大径側端面の前記半径方向の厚みよりも小さい請求項１に記載の陰極線管装置。
【請求項５】
前記フェライトコアの前記小径側端面又は前記大径側端面の前記巻線不在領域に対応する１つの領域内に設けられた前記凸部の数が複数である請求項１に記載の陰極線管装置。
【請求項６】
前記凸部は、管軸を含む垂直方向面に対して対称である請求項１に記載の陰極線管装置。
【発明の詳細な説明】
【技術分野】
【０００１】
本発明はトロイダル型垂直偏向コイルを備えた偏向ヨークが搭載された陰極線管装置に関する。
【背景技術】
【０００２】
インライン型カラー陰極線管装置では、電子銃から発射された水平方向に一列配置された３電子ビームを水平方向及び垂直方向に偏向するために偏向ヨークが搭載される。３電子ビームを垂直方向に偏向する垂直偏向コイルとしては、図８に示すように、略漏斗形状のフェライトコア（以下、単に「コア」という）６３にトロイダル巻きされた垂直偏向コイル６２が知られている。図８において、Ｚ軸はコア６３の中心軸（これはカラー陰極線管の管軸に一致する）、Ｘ軸はＺ軸に直交する水平方向軸、Ｙ軸はＺ軸及びＸ軸に直交する垂直方向軸である。一般に、コア６３はＸＺ面（水平方向面）に対して上側の上側コア半体６３ａと下側の下側コア半体６３ｂとからなる。上側コア半体６３ａ及び下側コア半体６３ｂのそれぞれに対して、垂直偏向コイル６２の巻線がトロイダル巻きされる。バレル型の垂直偏向磁界を発生させて、蛍光体スクリーン上で３電子ビームを良好にコンバーゼンスさせるために、Ｙ軸が交差する位置に垂直偏向コイル６２の巻線が実質的に配置されていない巻線不在領域６５が形成されている。従って、垂直偏向コイル６２は、上側コア半体６３ａに、巻線不在領域６５を挟んでその両側に巻装されたコイル片６２ａａ，６２ａｂと、下側コア半体６３ｂに、巻線不在領域６５を挟んでその両側に巻装されたコイル片６２ｂａ，６２ｂｂとからなる。
【０００３】
上側コア半体６３ａ及び下側コア半体６３ｂに巻線をそれぞれトロイダル巻きする場合、巻線はＹＺ面（垂直方向面）に対して一方の側から他方の側へと連続して巻回される。従って、図９に示すように、巻線不在領域６５を巻線６６が斜めに通過する。この巻線６６に印加された張力によって、コイル片６２ｂａの大径側部分が矢印６７ａの向きに位置ずれし、また、コイル片６２ｂｂの小径側部分が矢印６７ｂの向きに位置ずれする。従って、図１０に示すように、下側コア半体６３ｂの内周側（電子ビーム側）においても、コイル片６２ｂａの大径側部分が矢印６７ａの向きに位置ずれし、コイル片６２ｂｂの小径側部分が矢印６７ｂの向きに位置ずれする。二点鎖線６８ａはコイル片６２ｂａの位置ずれ後の巻線不在領域６５側の端縁の位置を示し、二点鎖線６８ｂはコイル片６２ｂｂの位置ずれ後の巻線不在領域６５側の端縁の位置を示す。このように、位置ずれ後のコイル片６２ｂａとコイル片６２ｂｂとはＹＺ面に対して非対称となる。図９及び図１０では、下側コア半体６３ｂに巻装されるコイル片６２ｂａ，６２ｂｂの位置ずれについて説明したが、上側コア半体６３ａに巻装されるコイル片６２ａａ，６２ａｂもこれと同様に位置ずれする。
【０００４】
コイル片６２ａａ，６２ａｂ，６２ｂａ，６２ｂｂの上記のような位置ずれは、Ｙ軸と平行な方向から見たときの巻線不在領域６５を通過する巻線６６のＺ軸に対する傾斜角度θ（図９参照）が大きくなるに従い大きくなる。傾斜角度θは、巻線不在領域６５のＹＺ面に対して一方の側の部分がＺ軸に対してなす角度α（図８参照）が大きくなるにしたがって大きくなる。一般に、角度αは、偏向ヨークが搭載される陰極線管のサイズや偏向角度により異なるが、コア６３の小径側及び大径側ともに５〜１５度である。コイル片６２ａａ，６２ａｂ，６２ｂａ，６２ｂｂの上記の位置ずれは、角度αが２度程度であればほとんど発生しないが、これより大きくなると問題となる。
【０００５】
一般にコア６３の内周側（電子ビーム側）での垂直偏向コイル６２の巻線の配置は垂直偏向磁界の分布に対する影響が大きい。コイル片６２ａａ，６２ａｂ，６２ｂａ，６２ｂｂのコア６３の内周側の部分が上記のように非対称に位置ずれすることにより、垂直偏向磁界分布も非対称となる。この結果、図１１に示すように、画面上において、赤（Ｒ）の横線（ラスタ）と青（Ｂ）の横線（ラスタ）とのミスコンバーゼンスが、Ｘ軸及びＹ軸で分割された４つの象限で異なる、非対称なミスコンバーゼンスパターンが発生することがある。あるいは、図１２に示すように、画面上において、画像が矢印方向に回転する回転歪みが生じることがある。あるいは、図１３に示すように、電子ビームのランディング位置が画面中央を中心として同一方向に回転するように矢印方向に位置ずれすることがある。
【０００６】
上記のコイル片６２ａａ，６２ａｂ，６２ｂａ，６２ｂｂの非対称な位置ずれを防止するために、特許文献１では、図１４に示すように、コア半体８０の小径側端及び大径側端に、ガイド突起８３が設けられた樹脂製のガイド部材８１，８２を取り付けることが提案されている。ガイド部材８１，８２のそれぞれに設けられた複数のガイド突起８３の間に垂直偏向コイルの巻線を案内することで、垂直偏向コイルの巻線の位置ずれを防止することができる。
【特許文献１】特公平７−６６７５３号公報
【発明の開示】
【発明が解決しようとする課題】
【０００７】
しかしながら、図１４の方法は、コア８０に別部材としてガイド部材８１，８２を取り付ける必要があり、コストを増加させるという問題があった。
【０００８】
本発明は、上記の従来の問題を解決し、新たな部品を追加することなく、垂直偏向コイルの巻線の位置ずれを防止して、良好な画像を表示することができる陰極線管装置を提供することを目的とする。
【課題を解決するための手段】
【０００９】
本発明の陰極線管装置は、内面に略矩形状の蛍光体スクリーンが形成されたパネルと、前記パネルに接合されたファンネルと、前記ファンネルのネック部内に収納され、電子ビームを放出する電子銃と、前記蛍光体スクリーンに対向し、前記電子ビームが通過する多数の開口が形成されたシャドウマスクと、前記ファンネルの外周面上に搭載された偏向ヨークと、前記ファンネルのネック部の外周面上に搭載され、前記蛍光体スクリーンの中央での色純度と色ずれを調整するＣＰＵとを備える。
【００１０】
前記偏向ヨークは、略漏斗形状を有するフェライトコアと、前記電子ビームを水平方向に偏向するサドル型の水平偏向コイルと、前記電子ビームを垂直方向に偏向する、前記フェライトコアに巻装されたトロイダル型の垂直偏向コイルと、管軸方向には前記フェライトコアの小径側端近傍であって前記フェライトコアに対して前記ファンネル側に上下に配された一対の磁性体とを備える。
【００１１】
前記フェライトコアは、垂直方向軸が交差する位置に、前記垂直偏向コイルの巻線が実質的に配置されていない巻線不在領域を有し、前記フェライトコアの小径側端面及び大径側端面の少なくとも一方の前記巻線不在領域に対応する領域内に管軸方向に突出した凸部が設けられており、前記巻線不在領域を通過する前記垂直偏向コイルの巻線が前記凸部に当接していることを特徴とする。
【発明の効果】
【００１２】
本発明によれば、新たな部品を追加することなく、フェライトコアの基本的な形状を保ちながら、垂直偏向コイルの巻線の位置ずれを防止することができる。その結果、非対称なミスコンバーゼンスパターン、画像の回転歪み、電子ビームのランディング位置の位置ずれが発生せず、良好な画像を表示することができる陰極線管装置を提供することができる。また、装置ごとの特性のばらつきを低減することができる。
【発明を実施するための最良の形態】
【００１３】
以下、本発明を図を参照して詳しく説明する。
【００１４】
図１は本発明の一実施形態にかかる陰極線管装置１の概略構成図である。以下の説明の便宜のために、管軸をＺ軸、水平方向（蛍光体スクリーンの長辺方向）軸をＸ軸、垂直方向（蛍光体スクリーンの短辺方向）軸をＹ軸とする。Ｘ軸とＹ軸とはＺ軸上にて交差する。図１では、Ｚ軸より上側に断面図を、下側に外観図をそれぞれ示している。
【００１５】
陰極線管は、略矩形状のパネル２及び略漏斗形状のファンネル３とからなる外囲器と、ファンネル３のネック部３ａ内に設けられたインライン型の電子銃４とを備える。陰極線管装置１は、この陰極線管と、ファンネル３の外周面に装着された偏向ヨーク６及びＣＰＵ（Convergence and Purity Unit）１０とを備える。パネル２の内面には、青（Ｂ）、緑（Ｇ）、赤（Ｒ）の各蛍光体ドット（又は蛍光体ストライプ）が配列されてなる略矩形状の蛍光体スクリーン２ａが形成されている。蛍光体スクリーン２ａが形成されたパネル２の領域の内面は所定の曲面に形成されており、その外面はほぼ平坦又は所定の曲率を有する曲面である。色選別用のシャドウマスク５が、蛍光体スクリーン２ａに対向して、パネル２の内壁面に保持機構（図示せず）を介して取り付けられている。シャドウマスク５は、電子ビーム通過孔である略スロット形の開孔（電子ビーム通過孔）がエッチングにより多数形成された金属板からなる。電子銃４は、中央電子ビームとこの両側の一対のサイド電子ビームとからなる、Ｘ軸と平行な一直線上に並んだ３本の電子ビーム７（３本の電子ビームはＸ軸と平行な一直線上に配列されるため、図では手前の１本の電子ビームのみが示されている。）を蛍光体スクリーン２ａに向かって出射する。電子銃４から出射された３本の電子ビーム７はシャドウマスク５に形成された開孔を通過して所定の蛍光体に射突する。
【００１６】
偏向ヨーク６は、電子銃４から出射される３本の電子ビーム７を水平方向及び垂直方向に偏向し、蛍光体スクリーン２ａ上を走査させる。偏向ヨーク６は、サドル型の水平偏向コイル６１とトロイダル型の垂直偏向コイル６２とフェライトコア（以下、単に「コア」という）６３とを備えている。水平偏向コイル６１と垂直偏向コイル６２との間には、樹脂製の絶縁枠６４が設けられている。絶縁枠６４は、水平偏向コイル６１と垂直偏向コイル６２との間の電気的な絶縁状態を維持する役割を果たしている。絶縁枠６４の外周面（コア６３側の面）には、偏向磁界（特に垂直偏向磁界）の分布を調整してコンバーゼンスを最適化するための一対の磁性体６９が設けられている。一対の磁性体６９は、ファンネル３をＹ軸方向に挟むようにＹＺ面と交差して配置され、Ｚ軸方向にはコア６３の小径側端近傍に位置している。
【００１７】
ネック部３ａの外周面上には、画面（即ち、蛍光体スクリーン２ａ）中央における色純度（ピュリティ）及び色ずれ（コンバーゼンス）を調整するためのＣＰＵ１０が搭載されている。ＣＰＵ１０は、２極マグネットリング１１、４極マグネットリング１２、及び６極マグネットリング１３よりなる。２極、４極、６極の各マグネットリング１１，１２，１３は、いずれも円環状の２枚の磁石を重ね合わせて構成されている。
【００１８】
図２はコア６３にトロイダル巻きされた本実施形態の垂直偏向コイル６２の斜視図、図３はその下面図、図４は小径側から見た背面図である。図５はコア６３の斜視図である。従来と同様に、コア６３は全体として略漏斗形状を有し、ＸＺ面に対して上側の上側コア半体６３ａと下側の下側コア半体６３ｂとからなる。上側コア半体６３ａ及び下側コア半体６３ｂのそれぞれに対して、垂直偏向コイル６２の巻線がトロイダル巻きされる。垂直偏向コイル６２は、上側コア半体６３ａに、巻線不在領域６５を挟んでその両側に巻装されたコイル片６２ａａ，６２ａｂと、下側コア半体６３ｂに、巻線不在領域６５を挟んでその両側に巻装されたコイル片６２ｂａ，６２ｂｂとからなる。上側コア半体６３ａ及び下側コア半体６３ｂのそれぞれの巻線不在領域６５は、Ｙ軸が交差する位置に設けられている。
【００１９】
本実施形態では、コア６３（即ち上側コア半体６３ａ及び下側コア半体６３ｂ）の小径側端面６３Ｓ及び大径側端面６３Ｌの巻線不在領域６５に対応する領域内にＺ軸方向に突出した凸部６３１及び凸部６３２が形成されている。ここで、小径側端面６３Ｓ及び大径側端面６３Ｌは、コア６３のＺ軸方向における端面である。図４に示すように、本実施形態の凸部６３１は底面がＹＺ面に対して対称な略二等辺三角形である略三角柱形状を有している。
【００２０】
一般に、垂直偏向コイル６２の巻線は上側コア半体６３ａ及び下側コア半体６３ｂのそれぞれの外周に４〜７層にトロイダル巻きされる。巻線不在領域６５に対して一方の側の巻線領域（例えばコイル片６２ａａ，６２ｂｂが巻装される領域）から他方の側の巻線領域（例えばコイル片６２ａｂ，６２ｂａが巻装される領域）へ巻線の巻回位置を変える場合には、巻線不在領域６５内に巻線６６を斜めに通過させる。このとき、巻線不在領域６５内を通過する巻線６６は、コア６３の小径側端面６３Ｓに設けられた凸部６３１の側壁の一部６３１ａと、大径側端面６３Ｌに設けられた凸部６３２の側壁の一部６３２ａとに当接して、Ｚ軸を中心とする回転方向の位置が規制される。凸部６３１，６３２のうち巻線６６が当接する部分６３１ａ，６３２ａのＺ軸を中心とする半径方向の位置は、コア６３の内周側端縁近傍に位置している。
【００２１】
本実施形態では、このように巻線６６が凸部６３１，６３２に当接するので、上側コア半体６３ａ及び下側コア半体６３ｂのそれぞれにおいて、巻線６６に印加された張力によって、一方のコイル片の大径側部分が矢印６７ａの向きに位置ずれし、また、他方のコイル片の小径側部分が矢印６７ｂの向きに位置ずれするという図９を用いて説明した問題が発生しない。この結果、コイル片６２ａａ，６２ａｂ，６２ｂａ，６２ｂｂが設計位置に対して非対称に位置ずれすることにより、非対称なミスコンバーゼンスパターン（図１１参照）、画像の回転歪み（図１２参照）、電子ビームのランディング位置の位置ずれ（図１３参照）等が発生することがなく、良好な画像を表示することができる。
【００２２】
図３において、コアの小径側端面６３Ｓに形成された凸部６３１のＺ軸方向の高さは、この小径側端面６３Ｓでの垂直偏向コイル６３の凸部６３１の近傍部分の厚み以上であることが好ましい。同様に、コアの大径側端面６３Ｌに形成された凸部６３２のＺ軸方向の高さは、この大径側端面６３Ｌでの垂直偏向コイル６３の凸部６３２の近傍部分の厚み以上であることが好ましい。これにより、巻線６６が当接する凸部６３１，６３２の部分近傍の垂直偏向コイル６３を構成する全ての巻線が凸部６３１，６３２で位置規制されるので、垂直偏向コイル６３が非対称に位置ずれするのを防止することができる。
【００２３】
図４において、巻線６６が当接する凸部６３１の部分６３１ａのＺ軸を中心とする半径方向の寸法は、凸部６３１が形成された小径側端面６３Ｓの半径方向の厚みよりも小さいことが好ましい。図示を省略するが、同様に、巻線６６が当接する凸部６３２の部分６３２ａのＺ軸を中心とする半径方向の寸法は、凸部６３２が形成された大側端面６３Ｌの半径方向の厚みよりも小さいことが好ましい。これにより、巻線６６が当接する凸部６３１，６３２の部分６３１ａ，６３２ａを小さくすることができるので、巻線６６及びコイル片６２ａａ，６２ａｂ，６２ｂａ，６２ｂｂをより正確に位置規制することができる。
【００２４】
また、図６に示すように、凸部６３１のＺ軸を中心とする半径方向の寸法を、凸部６３１が形成された小径側端面６３Ｓの半径方向の厚みよりも小さくしても良い。図示を省略するが、同様に、凸部６３２のＺ軸を中心とする半径方向の寸法を、凸部６３２が形成された大側端面６３Ｌの半径方向の厚みよりも小さくしても良い。特に、一般に相対的に大きな厚みを有する小径側端面６３Ｓにおいては、凸部６３１の半径方向の寸法が、小径側端面６３Ｓの半径方向の厚みの１／２以下、更には１／３以下であることが好ましい。これにより、巻線６６と凸部６３１，６３２とが接する範囲を小さくすることができるので、巻線６６及びコイル片６２ａａ，６２ａｂ，６２ｂａ，６２ｂｂをより正確に位置規制することができる。
【００２５】
上記において、巻線６６が当接する凸部６３１，６３２の部分６３１ａ，６３２ａは、Ｚ軸を中心とする半径方向において、小径側端面６３Ｓ及び大径側端面６３ＬのＺ軸側端縁近傍に位置していることが好ましい。このように、巻線６６がＺ軸により近い位置で位置規制されることにより、コイル片６２ａａ，６２ａｂ，６２ｂａ，６２ｂｂのコア６３の内周側の部分の位置ずれを一層防止することができる。
【００２６】
また、図７に示すように、コア６３の小径側端面６３Ｓの巻線不在領域６５に対応する１つの領域内に複数の凸部６３１を設けても良い。図示を省略するが、同様に、コア６３の大径側端面６３Ｌの巻線不在領域６５に対応する１つの領域内に複数の凸部６３２を設けても良い。このとき巻線６６は複数の凸部６３１のうちの少なくとも１つ及び複数の凸部６３２のうちの少なくとも１つと当接する。これによっても、コイル片６２ａａ，６２ａｂ，６２ｂａ，６２ｂｂが設計位置に対して非対称に位置ずれするのを防止できる。
【００２７】
コア６３の小径側端面６３Ｓに形成された凸部６３１はＹＺ面に対して対称であることが好ましい。同様に、コア６３の大径側端面６３Ｌに形成された凸部６３２はＹＺ面に対して対称であることが好ましい。これにより、巻線不在領域６５における巻線６６の配置がＹＺ面に対して対称に変わっても、共通するコアを使用することができる。
【００２８】
Ｚ軸と平行な方向から見た凸部６３１，６３２の形状は、図４に示すような略三角形に限定されず、四角形などの各種多角形、円形、楕円形などであっても良い。
【００２９】
上記の実施形態では、コア６３の小径側端面６３Ｓに凸部６３１が形成され、且つ大径側端面６３Ｌに凸部６３２が形成されていたが本発明はこれに限定されない。両端面６３Ｓ，６３Ｌに凸部を形成する場合に比べるとコイル片６２ａａ，６２ａｂ，６２ｂａ，６２ｂｂの位置ずれ防止効果はやや低下するものの、小径側端面６３Ｓ及び大径側端面６３Ｌのうちのいずれか一方のみに凸部を設けることもできる。
【実施例】
【００３０】
画面対角サイズが２９インチ、画面アスペクト比が４：３、偏向角が１０４°、ネック部３ａの外径がφ２９．１ｍｍのインライン型カラー陰極線管装置の実施例を示す。
【００３１】
本実施例に係るカラー陰極線管装置の概略構成は図１に示した通りであり、垂直偏向コイル６２及びコア６３の概略構成は図２〜図５に示したとおりであった。
【００３２】
コア６３の小径側端面６３Ｓの内半径及び外半径はそれぞれ２５ｍｍ、３３ｍｍ、大径側端面６３Ｌの内半径及び外半径はそれぞれ５２ｍｍ、５４ｍｍ、Ｚ軸方向寸法（凸部６３１，６３２を含まず）は３８ｍｍであった。
【００３３】
コア６３に垂直偏向コイル６３の巻線を７層にトロイダル巻きした。
【００３４】
巻線不在領域６５のＹＺ面に対して一方の側の部分がＺ軸に対してなす角度α（図８参照）は、コア６３の小径側端及び大径側端でともに１２度であった。
【００３５】
コア６３（即ち上側コア半体６３ａ及び下側コア半体６３ｂ）の小径側端面６３Ｓ及び大径側端面６３Ｌの巻線不在領域６５に対応する部分に設けた凸部６３１及び凸部６３２の高さ（Ｚ軸方向寸法）はそれぞれ２．５ｍｍ、１．５ｍｍであった。この凸部６３１及び凸部６３２の高さは、小径側端面６３Ｓ及び大径側端面６３Ｌでの垂直偏向コイル６２の凸部６３１及び凸部６３２の近傍部分の厚みとほぼ一致していた。
【００３６】
図４に示すように、Ｚ軸と平行な方向から見たとき、小径側端面６３Ｓの凸部６３１はＹ軸上に頂角を有する略二等辺三角形を有していた。巻線６６は、この略二等辺三角形の２つの底角のうちの一方を含む部分６３１ａのみに接触していた。
【００３７】
図示を省略するが、大径側端面６３Ｌの凸部６３２のＺ軸と平行な方向から見た形状は、巻線不在領域６５の周方向の両端とＺ軸とを結ぶ２直線に沿った２辺を有する略台形状とした。本実施例では大径側端面６３Ｌの半径方向の厚みが２ｍｍと小さかったので、巻線６６がこの略台形状の辺に接する範囲はごく僅かであり、巻線６６及びコイル片６２ａａ，６２ａｂ，６２ｂａ，６２ｂｂが位置ずれすることはなかった。もちろん、大径側端面６３Ｌの凸部６３２を、小径側端面６３Ｓの凸部６３１と同様に、底面が略二等辺三角形である略三角柱形状にしても良い。
【００３８】
上記の実施例では、コイル片６２ａａ，６２ａｂ，６２ｂａ，６２ｂｂがコア６３に対してその設計位置から位置ずれすることがなく、得られた陰極線管装置は良好な画像を表示することを確認した。
【産業上の利用可能性】
【００３９】
本発明は、垂直偏向コイルの位置ずれを防止することで良好な画像を表示することができる陰極線管装置として広く利用することができる。
【図面の簡単な説明】
【００４０】
【図１】図１は、本発明の一実施形態に係る陰極線管装置の概略構成を示した半断面図である。
【図２】図２は、本発明に係る陰極線管装置に搭載される、フェライトコアにトロイダル巻きされた垂直偏向コイルの一実施形態の斜視図である。
【図３】図３は、本発明に係る陰極線管装置に搭載される、フェライトコアにトロイダル巻きされた垂直偏向コイルの一実施形態の下面図である。
【図４】図４は、本発明に係る陰極線管装置に搭載される、フェライトコアにトロイダル巻きされた垂直偏向コイルの一実施形態の小径側から見た背面図である。
【図５】図５は、本発明に係る陰極線管装置に搭載されるフェライトコアの一実施形態の斜視図である。
【図６】図６は、本発明に係る陰極線管装置に搭載される、フェライトコアにトロイダル巻きされた垂直偏向コイルの別の実施形態の小径側から見た背面図である。
【図７】図７は、本発明に係る陰極線管装置に搭載される、フェライトコアにトロイダル巻きされた垂直偏向コイルの更に別の実施形態の小径側から見た背面図である。
【図８】図８は、フェライトコアにトロイダル巻きされた従来の垂直偏向コイルの小径側から見た背面図である。
【図９】図９は、フェライトコアにトロイダル巻きされた従来の垂直偏向コイルの下面図である。
【図１０】図１０は、従来の垂直偏向コイルのフェライトコアに対して内周側の部分が位置ずれする様子を示した水平方向面に沿った断面図である。
【図１１】図１１は、従来の陰極線管装置において、垂直偏向コイルの非対称な位置ずれにより生じる非対称なミスコンバーゼンスパターンの一例を示した図である。
【図１２】図１２は、従来の陰極線管装置において、垂直偏向コイルの非対称な位置ずれにより生じる画像の回転歪みの一例を示した図である。
【図１３】図１３は、従来の陰極線管装置において、垂直偏向コイルの非対称な位置ずれにより生じる電子ビームのランディング位置の非対称な位置ずれの一例を示した図である。
【図１４】図１４は、従来の陰極線管装置において、トロイダル型垂直偏向コイルのコアに対する位置ずれを防止するために、係止突起付きガイド部材が設けられたコア半体を示した側面図である。
【符号の説明】
【００４１】
１  陰極線管装置
２  パネル
２ａ  蛍光体スクリーン
３  ファンネル
３ａ  ネック部
４  電子銃
５  シャドウマスク
６  偏向ヨーク
７  電子ビーム
１０  ＣＰＵ
１１  ２極マグネットリング
１２  ４極マグネットリング
１３  ６極マグネットリング
６１  水平偏向コイル
６２  垂直偏向コイル
６２ａａ，６２ａｂ，６２ｂａ，６２ｂｂ  コイル片
６３  フェライトコア
６３ａ  上側コア半体
６３ｂ  下側コア半体
６３Ｓ  小径側端面
６３Ｌ  大径側端面
６３１，６３２  凸部
６４  絶縁枠
６５  巻線不在領域
６６  巻線
６９  磁性体
【図１】
2009032562.tif 000003
【図２】
2009032562.tif 000004
【図３】
2009032562.tif 000005
【図４】
2009032562.tif 000006
【図５】
2009032562.tif 000007
【図６】
2009032562.tif 000008
【図７】
2009032562.tif 000009
【図８】
2009032562.tif 000010
【図９】
2009032562.tif 000011
【図１０】
2009032562.tif 000012
【図１１】
2009032562.tif 000013
【図１２】
2009032562.tif 000014
【図１３】
2009032562.tif 000015
【図１４】
2009032562.tif 000016